(57)【要約】      （修正有）【課題】像担持体を安定的に接地することができる電子写真感光体およびこれを用いる画像形成装置を提供する。【解決手段】静電潜像が形成される感光体ドラムを構成する円筒状のドラム素管３１とドラム素管３１を支持するシャフトピン３２とを電気的に接続するアース部材３３であって、このアース部材３３を、螺旋形状の導電性ばね基材により形成し、アース部材３３の中央部３３ａの外周部をドラム素管３１の内壁部に接触した状態で、アース部材３３の端部３３ｂの内周部をシャフトピン３２の外周部に支持して、ドラム素管３１の内径ｄ１とドラム素管３１の内壁部と接触するアース部材３３の中央部３３ａの外径ｄ２との関係をｄ１＜ｄ２とし、シャフトピン３２の外径ｄ４とシャフトピン３２に支持されるアース部材３３の端部３３ｂの内径ｄ３との関係をｄ３＜ｄ４とすることを特徴とするものである。【選択図】図２
2013246287.tif 000002
【特許請求の範囲】
【請求項１】
導電性の筒状体と前記筒状体を支持する導電性の軸部材とを電気的に接続するアース部材であって、
前記アース部材は、螺旋形状を呈する導電性ばね基材により形成され、前記アース部材の一部の螺旋形状の外周部が前記筒状体の内壁部に接触した状態で前記筒状体の内部に配置されるとともに、前記アース部材の一部の螺旋形状の内周部が前記軸部材の外周部に接触した状態で前記軸部材に支持され、
前記筒状体と前記アース部材とは、前記筒状体の内壁部の内径ｄ１と前記筒状体の内壁部と接触する前記アース部材の一部の螺旋形状の外径ｄ２との関係を、ｄ１＜ｄ２とし、
前記軸部材と前記アース部材とは、前記軸部材の外径ｄ４と前記軸部材に支持される前記アース部材の一部の螺旋形状の内径ｄ３との関係を、ｄ３＜ｄ４とすることを特徴とするアース部材。
【請求項２】
電子写真方式により画像形成を行う画像形成装置に搭載されるもので、外周部に静電潜像が形成される円筒状の像担持体と、前記像担持体の両端部を支持する導電性を有する軸部材と、前記像担持体と前記軸部材とを電気的に接続するアース部材とを備えた電子写真感光体であって、
前記アース部材として、請求項１に記載のアース部材を用いることを特徴とする電子写真感光体。
【請求項３】
静電潜像が形成される電子写真感光体と、前記電子写真感光体に現像剤を供給して前記電子写真感光体に形成される静電潜像を現像する現像装置と、前記電子写真感光体に所定の電位を与えるための帯電手段と、前記電子写真感光体に静電潜像を形成するための露光手段とを備えて、電子写真方式により画像形成を行う画像形成装置において、
前記電子写真感光体として、請求項２に記載の電子写真感光体を用いることを特徴とする画像形成装置。
【発明の詳細な説明】
【技術分野】
【０００１】
本発明は、アース部材、電子写真感光体、およびこれらを用いる画像形成装置に係り、特に、複写機、レーザプリンタ、ファクシミリ等の電子写真方式により画像形成を行う画像形成装置に用いるアース部材、電子写真感光体、およびこれらを用いる画像形成装置に関する。
【背景技術】
【０００２】
複写機等の画像形成装置では、一般に、露光部によって原稿を読み取り、感光体ドラム（電子写真感光体）上に静電潜像を形成する。そして、現像装置により感光体ドラムに形成された静電潜像に基づきトナー画像を形成する。
【０００３】
現像装置は、トナーホッパより供給されるトナーを感光体ドラム上の静電潜像と逆極性に帯電させ、これを現像スリーブを介して感光体ドラム表面に付着させて画像の顕像化を行っている。
【０００４】
感光体ドラムは、導電性金属を円筒形状に形成したドラム素管と、ドラム素管の両端開口部に圧入されて軸受部を構成するフランジ部材とを有している。フランジ部材の中央部には支持孔が設けられており、このドラムユニットを支持する導電性シャフトがこの支持孔に挿入される。
【０００５】
ドラム素管と装置本体との導通を図るために、ドラム素管の内周面に当接する外周接触部と、導電性シャフトの外周に当接する内周接触部とを有するアース部材をフランジ部材に取り付けることが考えられる。
【０００６】
しかしながら、ドラム素管と装置本体との導電性確保のためには、常に接触状態を維持していなければならない導電性シャフトとアース部材との接点、もしくはアース部材とドラム素管との接点が２点だけであることから、回転ムラや振動、接触部の摩耗からくる破損により接点部が非接触状態となり、アース不良が発生することがあるという問題があった。
【０００７】
そこで、この問題を解消するために、従来技術として、感光体ドラムとこれを支持する軸部材とを電気的に接続するための導電性を有する第１の接続手段を備えた画像形成装置において、軸部材と装置本体とを電気的に接続するための第２の接続手段として圧縮コイルスプリングを備えたものが提案されている（特許文献１を参照）。
【０００８】
このような構成によれば、小さなスラスト力であっても感光体ドラムを安定的に接地することが可能となり、スラスト力が変動した場合であっても、感光体ドラムの摺接抵抗の変動が小さい構成とすることで、ノイズがなく、画像品質の良好な画像形成装置を得ることができる。
【０００９】
また、ドラムユニットに感光体ドラムを装着する際に圧縮コイルスプリングを付けた貫通シャフト（軸部材）を装着するため、シャフト部分と圧縮コイルスプリングのアース板（ストッパー）とを効果的に接触することができる。
【先行技術文献】
【特許文献】
【００１０】
【特許文献１】特開２００５−６２３３２号公報
【発明の概要】
【発明が解決しようとする課題】
【００１１】
しかしながら、特許文献１のような方式では、フランジ部材を高価な導電性部材であるか、もしくはフランジ部材が安価な非導電性樹脂部材の場合にはアース部材で感光体ドラムと電気的に接続する必要がある。非導電性樹脂部材を使用する場合、感光体ドラム（像担持体）にアース板（端子部材）が付いたフランジが組み込まれる際に、アース板が斜めに装着された場合、アース板と感光体ドラムとの接触が安定しなくなるため、運転中の振動などにより導通不良が発生し易くなるという問題が生じる。
【００１２】
本発明は、上記従来の問題点に鑑みてなされたものであって、像担持体を安定的に接地することができるアース部材、電子写真感光体およびこれらを用いる画像形成装置を提供することを目的とする。
【課題を解決するための手段】
【００１３】
上述した課題を解決するための本発明に係る電子写真感光体およびこれを用いる画像形成装置は、次の通りである。
【００１４】
本発明は、導電性の筒状体と前記筒状体を支持する導電性の軸部材とを電気的に接続するアース部材であって、前記アース部材を、螺旋形状を呈する導電性ばね基材により形成し、前記アース部材の一部の螺旋形状の外周部が前記筒状体の内壁部に接触した状態で前記筒状体の内部に配置するとともに、前記アース部材の一部の螺旋形状の内周部が前記軸部材の外周部に接触した状態で前記軸部材により支持するようにして、前記筒状体と前記アース部材とは、前記筒状体の内壁部の内径ｄ１と前記筒状体の内壁部と接触する前記アース部材の一部の螺旋形状の外径ｄ２との関係を、ｄ１＜ｄ２とし、前記軸部材と前記アース部材とは、前記軸部材の外径ｄ４と前記軸部材に支持される前記アース部材の一部の螺旋形状の内径ｄ３との関係を、ｄ３＜ｄ４とすることを特徴とするものである。
【００１５】
また、本発明は、電子写真方式により画像形成を行う画像形成装置に搭載されるもので、外周部に静電潜像が形成される円筒状の像担持体と、前記像担持体の両端部を支持する導電性を有する軸部材と、前記像担持体と前記軸部材とを電気的に接続するアース部材とを備えた電子写真感光体であって、前記アース部材として、請求項１に記載のアース部材を用いることを特徴とするものである。
【００１６】
また、本発明は、静電潜像が形成される電子写真感光体と、前記電子写真感光体に現像剤を供給して前記電子写真感光体に形成される静電潜像を現像する現像装置と、前記電子写真感光体に所定の電位を与えるための帯電手段と、前記電子写真感光体に静電潜像を形成するための露光手段とを備えて、電子写真方式により画像形成を行う画像形成装置において、前記電子写真感光体として、請求項２に記載の電子写真感光体を用いることを特徴とするものである。
【発明の効果】
【００１７】
本発明の電子写真感光体によれば、導電性の筒状体と前記筒状体を支持する導電性の軸部材とを電気的に接続するアース部材であって、前記アース部材を、螺旋形状を呈する導電性ばね基材により形成し、前記アース部材の一部の螺旋形状の外周部が前記筒状体の内壁部に接触した状態で前記筒状体の内部に配置するとともに、前記アース部材の一部の螺旋形状の内周部が前記軸部材の外周部に接触した状態で前記軸部材により支持するようにして、前記筒状体と前記アース部材とは、前記筒状体の内壁部の内径ｄ１と前記筒状体の内壁部と接触する前記アース部材の一部の螺旋形状の外径ｄ２との関係を、ｄ１＜ｄ２とし、前記軸部材と前記アース部材とは、前記軸部材の外径ｄ４と前記軸部材に支持される前記アース部材の一部の螺旋形状の内径ｄ３との関係を、ｄ３＜ｄ４とすることで、前記筒状体と前記アース部材とを確実に接触させることができるとともに、前記軸部材と前記アース部材とを確実に接触させることができる。また、前記アース部材を螺旋形状に形成したので、前記筒状体の内部に斜めに装着されても、前記アース部材の螺旋形状の接触部分が増えるので、より確実に導通を確保できる。
【００１８】
また、本発明の電子写真感光体によれば、電子写真方式により画像形成を行う画像形成装置に搭載されるもので、外周部に静電潜像が形成される円筒状の像担持体と、前記像担持体の両端部を支持する導電性を有する軸部材と、前記像担持体と前記軸部材とを電気的に接続するアース部材とを備えた電子写真感光体であって、前記アース部材として、請求項１に記載のアース部材を用いることで、前記像担持体と前記アース部材とを確実に接触させることができるとともに、前記軸部材と前記アース部材とを確実に接触させることができる。これにより、前記像担持体を安定的に接地することができるので、良好な画像品質を実現できる。また、前記アース部材を螺旋形状に形成したので、前記像担持体の内部に斜めに装着されても、前記アース部材の螺旋形状の接触部分が増えるので、より確実に導通を確保できる。
【００１９】
また、本発明の画像形成装置によれば、静電潜像が形成される電子写真感光体と、前記電子写真感光体に現像剤を供給して前記電子写真感光体に形成される静電潜像を現像する現像装置と、前記電子写真感光体に所定の電位を与えるための帯電手段と、前記電子写真感光体に静電潜像を形成するための露光手段とを備えて、電子写真方式により画像形成を行う画像形成装置において、前記電子写真感光体として、請求項２に記載の電子写真感光体を用いることで、前記電子写真感光体を安定的に接地することができるので、良好な画像品質を実現できる。
【図面の簡単な説明】
【００２０】
【図１】本発明の実施形態に係る感光体ドラムを用いる画像形成装置の構成を示す説明図である。
【図２】前記感光体ドラムの構成を示す説明図である。
【図３】前記感光体ドラムを構成するフランジ部とアース部材の取付け状態を示す図２のＡ矢視図である。
【図４】本実施形態の感光体ドラムのアース部材を取付ける構成の変形例を示す説明図であって図２のＡ矢視図に対応する説明図である。
【発明を実施するための形態】
【００２１】
以下、本発明の電子写真感光体およびこれを用いる画像形成装置を実施するための形態について図面を参照して説明する。
図１は発明を実施する形態の一例であって、本発明の実施形態に係る感光体ドラムを用いる画像形成装置の構成を示す説明図である。
【００２２】
本実施形態は、図１に示すように、表面に静電潜像が形成される感光体ドラム（電子写真感光体）３と、感光体ドラム３表面の静電潜像にトナーを供給してトナー像を形成する現像装置２とを備え、電子写真方式によりトナーを用いて画像を形成する画像形成装置１００において、感光体ドラム３の特徴的な構成として、本発明に係る電子写真感光体の構成を採用したものである。
【００２３】
まず、画像形成装置１００の全体構成について説明する。
以下の説明では、同一の部品には同一の符号を付してある。それらの名称および機能も同じである。したがって、それらについての詳細な説明は繰り返さない。
【００２４】
画像形成装置１００は、図１に示すように、外部から伝達された画像データに応じて、所定の用紙（例えば、記録用紙）に対して多色及び単色の画像を形成するもので、装置本体１１０と、自動原稿処理装置１２０とにより構成されている。
【００２５】
装置本体１１０は、露光ユニット（露光手段）１、現像装置２、感光体ドラム３、クリーナユニット４、帯電器（帯電手段）５、転写部６、定着ユニット７、給紙カセット８１、排紙トレイ９１等を有して構成されている。
【００２６】
装置本体１１０の上部に設けられた画像読取り部９０の上側には、原稿が載置される透明ガラスからなるプラテンガラス（原稿載置台）９２が設けられ、そのプラテンガラス９２の上側には自動原稿処理装置１２０が取り付けられている。
【００２７】
自動原稿処理装置１２０は、プラテンガラス９２の上に自動で原稿を搬送する。
また、自動原稿処理装置１２０は、矢印Ｍ方向に回動自在に構成され、プラテンガラス９２の上を開放することにより原稿を手置きで置くことができるようになっている。
【００２８】
画像形成装置１００において扱われる画像データは、ブラック（Ｋ）、シアン（Ｃ）、マゼンタ（Ｍ）、イエロー（Ｙ）の各色を用いたカラー画像に応じたものである。
従って、現像装置２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２９】
また、ブラック（Ｋ）、シアン（Ｃ）、マゼンタ（Ｍ）、イエロー（Ｙ）以外にも、例えばシアン（Ｃ）およびマゼンタ（Ｍ）と同一の色相で濃度がより薄い特性をもつライトシアン（ＬＣ）およびライトマゼンタ（ＬＭ）を加えた６色であっても良い。
これら６色とすることで、より鮮明な高画質のフルカラー画像を得ることができる。
【００３０】
帯電器５は、感光体ドラム３の表面を所定の電位に均一に帯電させるための帯電手段である。
【００３１】
露光ユニット１は、外部から入力した画像データまたは原稿から読み取って得られた画像データに応じて、帯電された感光体ドラム３を露光することにより、画像データに応じた静電潜像を感光体ドラム３の表面に形成する画像書込み装置である。露光ユニット１には、レーザビームを走査するポリゴンミラーと、ポリゴンミラーによって反射されたレーザ光を感光体ドラム３に導くためのレンズやミラー等の光学要素が配置されている。
【００３２】
現像装置２は、それぞれの感光体ドラム３上に形成された静電潜像を４色（Ｙ，Ｍ，Ｃ，Ｋ）のトナーにより顕像化するものである。
【００３３】
感光体ドラム３は、円筒状を呈し、露光ユニット１の上方に配設され、その表面がクリーナユニット４によりクリーニングされ、クリーニングされた表面が帯電器５により均一に帯電される。
【００３４】
クリーナユニット４は、現像・画像転写後における感光体ドラム３上の表面に残留したトナーを除去・回収する。
【００３５】
感光体ドラム３の上方に配置されている転写部６は、無端状の中間転写ベルト（無端ベルト）６１、中間転写ベルト駆動ローラ６２、中間転写ベルト従動ローラ６３、中間転写ローラ６４、及び中間転写ベルトクリーニングユニット６５を備えている。中間転写ローラ６４は、Ｙ，Ｍ，Ｃ，Ｋの各色に対応して４本設けられている。
【００３６】
中間転写ベルト駆動ローラ６２、中間転写ベルト従動ローラ６３、及び中間転写ローラ６４は、中間転写ベルト６１を張架して回転駆動するように構成されている。
【００３７】
中間転写ベルト６１は、厚さ１００μｍ〜１５０μｍ程度のフィルムを用いて無端状に形成され、各感光体ドラム３に接触するように設けられている。そして、感光体ドラム３に形成された各色のトナー像を中間転写ベルト６１上に順次重ね合わせて転写することによって、中間転写ベルト６１上にカラーのトナー像（多色トナー像）を形成する機能を有している。
【００３８】
中間転写ローラ６４は、その表面が導電性の弾性材（例えばＥＰＤＭ，発泡ウレタン等）により覆われているローラであって、中間転写ベルト６１に対して感光体ドラム３のトナー像を中間転写ベルト６１上に転写するための転写バイアスを与えるようにされている。詳しくは、中間転写ローラ６４には、トナー像を転写するために高電圧の転写バイアス（トナーの帯電極性（−）とは逆極性（＋）の高電圧）が印加されている。
【００３９】
上述したように、各感光体ドラム３上で各色相に応じて顕像化されたトナー像は中間転写ベルト６１上に積層される。積層された画像情報としてのトナー像は、中間転写ベルト６１とともに搬送されて、搬送される用紙と中間転写ベルト６１との接触位置（２次転写位置，所定位置）に移動し、この接触位置に配置されている転写ローラ１０によって用紙上に転写される。
【００４０】
中間転写ベルト６１に付着したトナー、もしくは転写ローラ１０によって用紙上に転写が行われずに中間転写ベルト６１に残存したトナーは、次工程で形成されるトナー像に対してトナーの混色を発生させる原因となるために、中間転写ベルトクリーニングユニット６５によって除去・回収されるように構成されている。
【００４１】
給紙カセット８１は、画像形成に使用する用紙を蓄積しておくためのトレイであり、装置本体１１０の露光ユニット１の下側に設けられている。また、装置本体１１０の外側部には、外側より用紙を供給可能な手差し給紙カセット８２が設けられている。
この手差し給紙カセット８２にも画像形成に使用する用紙を複数枚積載することができる。装置本体１１０の上方には、印刷済みの用紙をフェイスダウンで集積するための排紙トレイ９１が設けられている。
【００４２】
また、装置本体１１０には、給紙カセット８１及び手差し給紙カセット８２の用紙を転写ローラ１０や定着ユニット７を経由させて排紙トレイ９１に送るための、略垂直形状の用紙搬送路Ｓが設けられている。給紙カセット８１乃至手差し給紙カセット８２から排紙トレイ９１に到る用紙搬送路Ｓの近傍には、ピックアップローラ１１ａ，１１ｂ、複数の搬送ローラ１２ａ〜１２ｄ、レジストローラ１３、転写ローラ１０、定着ユニット７等が配されている。
【００４３】
搬送ローラ１２ａ〜１２ｄは、用紙の搬送を促進・補助するための小型のローラであり、用紙搬送路Ｓに沿って設けられている。尚、搬送ローラ１２ｂは、用紙を排紙トレイ９１に排出する排紙ローラとして機能するため、排紙ローラと称する。
【００４４】
ピックアップローラ１１ａは、給紙カセット８１の端部近傍に備えられ、給紙カセット８１から用紙を１枚ずつピックアップして用紙搬送路Ｓに供給する。
ピックアップローラ１１ｂは、手差し給紙カセット８２の端部近傍に備えられ、手差し給紙カセット８２から用紙を１枚ずつピックアップして用紙搬送路Ｓに供給する。
【００４５】
レジストローラ１３は、用紙搬送路Ｓを搬送されている用紙を一旦保持するものである。そして、感光体ドラム３上のトナー像の先端と用紙の先端を合わせるタイミングで用紙を転写ローラ１０に搬送する機能を有している。
【００４６】
定着ユニット７は、定着ローラとして１対のヒートローラ７１と加圧ローラ７２を備えており、ヒートローラ７１及び加圧ローラ７２は、用紙を挟んで回転搬送するようになっている。
【００４７】
ヒートローラ７１及び加圧ローラ７２は、対向して配置されて、ヒートローラ７１と加圧ローラ７２との圧接箇所には、定着ニップ部が形成されている。
【００４８】
ヒートローラ７１は、所定の定着温度となるように制御部（図示せず）によって温度制御される。この制御部は、ヒートローラ７１の周囲に設けられたヒートローラ７１の温度と検出する図示しない温度検出器（非接触式のサーミスタ）からの検出信号に基づいてヒートローラ７１の表面温度が１６０〜２００℃の範囲となるように制御する。
【００４９】
また、ヒートローラ７１は、加圧ローラ７２とともにトナーを用紙に熱圧着することにより、用紙に転写された多色トナー像を溶融・混合・圧接し、用紙に対して熱定着させる機能を有している。また、ヒートローラ７１には、図１に示すように、ヒートローラ７１を外部から定着するための外部定着ベルト７３が設けられている。
【００５０】
一方、加圧ローラ７２も、ヒートローラ７１と同様に円筒状の金属製の芯金の周面に弾性層が設けられて構成されている。そして、ヒートローラ７１に対して所定の圧力で当接されるようになっている。
【００５１】
そして、画像形成装置１００は、図示しないネットワーク回線（ＬＡＮ、電話回線等）を介してＰＣ、ＦＡＸ、およびメーカー、販売先またはリース先等のデータ管理サーバに接続されている。
【００５２】
次に、本実施形態の感光体ドラム３の特徴的な構成について図面を参照して具体的に説明する。
図２は本実施形態に係る感光体ドラムの構成を示す説明図、図３は前記感光体ドラムを構成するフランジ部とアース板の取付け状態を示す図２のＡ矢視図である。
【００５３】
本実施形態の感光体ドラム３は、図２に示すように、主に、外周部に静電潜像が形成される円筒状のドラム素管（像担持体）３１と、ドラム素管３１の両端部を支持する導電性を有するシャフトピン（軸部材）３２と、ドラム素管３１とシャフトピン３２とを電気的に接続するアース部材３３とを備えている。
【００５４】
ドラム素管３１は、その両端部が開口形成され、その開口部３１ａを閉塞するフランジ部３４，３４が設けられている。フランジ部３４の中央部には、シャフトピン３２が貫通して配置される孔３４ａが開口形成されている。
【００５５】
アース部材３３は、螺旋形状を呈する導電性ばね基材により形成されている。
アース部材３３は、その中央部３３ａの一部の螺旋形状の外周部がドラム素管３１の内壁部に接触した状態でドラム素管３１の内部に配置される。そして、アース部材３３の一端側の端部３３ｂの一部の螺旋形状の内周部がシャフトピン３２の外周部に支持される。
【００５６】
シャフトピン３２は図示しない装置本体に接地するように構成されている。
そして、シャフトピン３２は、フランジ部３４の孔３４ａを貫通してドラム素管３１を支持するとともに、ドラム素管３１の内部に配置されるアース部材３３を支持する。フランジ部３４の孔３４ａを貫通する先端部３２ａは、先細りのテーパ形状で構成されている。
【００５７】
アース部材３３は、線径１．０（ｍｍ）のばね材料を使用している。
アース部材３３の材料としてはリン青銅が望ましいが、ステンレスでもよい。
【００５８】
ドラム素管３１は、外径ｄ０がφ３０（ｍｍ）で形成されている。
ドラム素管３１の内径ｄ１はφ２８．５（ｍｍ）で形成されている。アース部材３３のドラム素管３１内に配置される中央部３３ａの一部の螺旋形状の外径ｄ２はφ３０（ｍｍ）で形成されている。すなわち、ドラム素管３１の内径ｄ１とアース部材３３の中央部の一部の螺旋形状の外径ｄ２との関係は、ｄ１＜ｄ２としている。
【００５９】
このように構成することで、ドラム素管３１の内壁部にアース部材３３を確実に当接させて導通を確保することができる。
【００６０】
また、アース部材３３のドラム素管３１内に挿入される一端側の端部３３ｃの外径ｄ５は、ドラム素管３１の内径ｄ１よりも小さいφ２２．５（ｍｍ）で形成されている。
このように構成することで、アース部材３３のドラム素管３１の内部への挿入を容易にしている。
【００６１】
シャフトピン３２の外径ｄ４はφ６（ｍｍ）で形成されている。アース部材３３のシャフトピン３２に支持される端部３３ｂの一部の螺旋形状の内径ｄ３はφ５．５（ｍｍ）で形成されている。すなわち、シャフトピン３２とアース部材３３の端部の一部の螺旋形状の内径ｄ３との関係は、ｄ３＜ｄ４としている。
【００６２】
このように構成することで、シャフトピン３２の外周部にアース部材３３を確実に当接させて導通を確保することができる。
【００６３】
また、シャフトピン３２の先端部３２ａの外径ｄ６はφ２（ｍｍ）で形成されている。このように構成することで、シャフトピン３２の先端部３２ａの外径ｄ６をアース部材３３の端部３３ｂの内径ｄ３よりも小さくして、シャフトピン３２の挿入性を良くすることができる。
【００６４】
ここで、アース部材３３の構成について具体的に説明する。
アース部材３３は、シャフトピン３２に外接する端部３３ｂの内径ｄ３の部分の巻き数を２巻き以上とする。
【００６５】
また、アース部材３３は、ドラム素管３１に内接する中央部３３ａの外径ｄ２の部分の巻き数を２巻き以上とする。そして、アース部材３３の最大径となる外径ｄ２の部分の１巻きをドラム素管３１の外径ｄ０（φ３０（ｍｍ））と同径とし、その前後の１巻きをドラム素管３１の内径ｄ１（φ２８．５（ｍｍ））と同径にする。
【００６６】
また、アース部材３３は、図３に示すように、その端部３３ｂの螺旋形状の先端部３３ｂ１が取付けビス３５によりフランジ部３４に固定する。なお、取付けビス３５はタッピングビスでもよい。
【００６７】
このように構成することで、アース部材３３をドラム素管３１の内部に挿入された際、アース部材３３の最大径となる外径ｄ２の部分がドラム素管３１の内径ｄ１によって縮められる。これにより、螺旋形状のアース部材３３のばねの特性から内径ｄ１を挟んだ前後の１巻き部分が膨らみ、アース部材３３をドラム素管３１に確実に内接することができる。
【００６８】
以上のように構成したので、本実施形態によれば、感光体ドラム３構成として、外周部に静電潜像が形成される円筒状のドラム素管３１と、ドラム素管３１の両端部を支持する導電性を有するシャフトピン３２と、ドラム素管３１とシャフトピン３２とを電気的に接続するアース部材３３とを備え、アース部材３３を螺旋形状を呈する導電性ばね基材により形成し、アース部材３３の中央部３３ａの一部の螺旋形状の外周部をドラム素管３１の内壁部に接触した状態でドラム素管３１の内部に配置するとともに、アース部材３３の一端側の端部３３ｂの一部の螺旋形状の内周部をシャフトピン３２の外周部に支持するようにして、ドラム素管３１の内壁部の内径ｄ１とドラム素管３１の内壁部と接触するアース部材３３の中央部３３ａの一部の螺旋形状の外径ｄ２との関係を、ｄ１＜ｄ２とし、シャフトピン３２の外径ｄ４とシャフトピン３２に支持されるアース部材３３の端部３３ｂの一部の螺旋形状の内径ｄ３との関係を、ｄ３＜ｄ４とすることで、ドラム素管３１とアース部材３３同士を確実に接触させることができるとともに、シャフトピン３２とアース部材３３同士を確実に接触させることができる。
【００６９】
これにより、ドラム素管３１を安定的に接地することができるので、良好な画像品質を実現できる。また、アース部材３３を螺旋形状に形成したので、ドラム素管３１の内部に斜めに装着されても、アース部材３３の螺旋形状の接触部分が増えるので、より確実に導通を確保できる。
【００７０】
なお、本実施形態では、アース部材３３をフランジ部３４に対してビス止めで固定しているが、本発明は、アース部材３３を取付ける構成をこれに限定するものではない。
【００７１】
（変形例）
以下に、本実施形態の変形例を示す。
図４は本実施形態の感光体ドラムのアース部材を取付ける構成の変形例を示す説明図であって図２のＡ矢視図に対応する説明図である。
【００７２】
変形例は、図４に示すように、本実施形態の感光体ドラム３を構成するフランジ部３４に相当するものとして、ドラム素管３１の開口部３１ａ側に突出したボス１３４ａを設けたフランジ部１３４を備えて、このボス１３４ａにアース部材３３の端部３３ｂの螺旋形状の先端部３３ｂ１を巻き付けて固定するようにしたものである。
【００７３】
ボス１３４ａに巻き付けたアース部材３３の先端部３３ｂ１は、フランジ部１３４に溶着にて固定してもよい。
【００７４】
また、本実施形態では、アース部材３３として線径１．０（ｍｍ）の材料を使用しているが、本発明はこれに限定されるものではなく、例えば、ばね材料の直径をさらに太くすることで、シャフトピン３２やドラム素管３１の内面への接触圧を上げることも可能である。
【００７５】
また、本実施形態では、アース部材３３のシャフトピン３２に外接する端部３３ｂの内径ｄ３の部分の巻き数を２巻き以上とし、ドラム素管３１に内接する中央部３３ａの外径ｄ２の部分の巻き数を２巻き以上としているが、それらの巻き数を増やすことで、更に確実な導通を得ることができる。
【００７６】
以上のように、本発明は、上述した実施形態や変形例に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【００７７】
１  露光ユニット（露光手段）
２  現像装置
３  感光体ドラム（電子写真感光体）
５  帯電器（帯電手段）
３１  ドラム素管
３１ａ  開口部
３２  シャフトピン
３２ａ  先端部
３３  アース部材
３３ａ  中央部
３３ｂ，３３ｃ  端部
３３ｂ１  先端部
３４  フランジ部
３５  取付けビス
１００  画像形成装置
１３４  フランジ部
１３４ａ  ボス
ｄ０  外径（ドラム素管の外径）
ｄ１  内径（ドラム素管の内径）
ｄ２  外径（アース部材の中央部の螺旋形状の外径）
ｄ３  内径（アース部材の端部の螺旋形状の内径）
ｄ４  外径（シャフトピンの外径）
ｄ５  外径（アース部材のドラム素管内に挿入される端部の外径）
ｄ６  外径（シャフトピンの先端部の外径）
【図１】
2013246287.tif 000003
【図２】
2013246287.tif 000004
【図３】
2013246287.tif 000005
【図４】
2013246287.tif 000006